(57)【要約】【課題】本発明の目的は、使用者がスライダー付きバッグを開け易く、かつ使用者の意図しない状況において密閉状態が解除されてしまわないスライダー付きバッグを提供することである。【解決手段】本発明に係るスライダー付きバッグ１は、バッグ１０の開口部に取り付けられているスライダー１２を、スライダーガイド機構１１に沿ってスライドさせることによって開口部の開閉が可能であり、スライダーガイド機構は、一対の密閉レール２０（２０Ａ，２０Ｂ）と、一対の開放レール２１（２１Ａ，２１Ｂ）と、バッグを密閉状態とした際に、スライダーに設けられている分離機構２５が開放レールに接しないようにするための切欠き端部２４と、を有し、バッグが密閉状態であるときに、一対の開放レール同士の間には、空隙３０が設けられており、分離機構が一対の開放レールの間の空隙に挿入されることで、一対の密閉レールの篏合状態を解除する。【選択図】図３
2017144113.tif 000002
【特許請求の範囲】
【請求項１】
バッグの開口部に取り付けられているスライダーを、前記開口部に設けられたスライダーガイド機構の一端部から他端部に沿って前記一端部側にスライドさせることによって前記バッグを密閉状態とし、その後、前記他端部側にスライドさせることによって、前記密閉状態を解除することで、前記開口部の開閉が可能なスライダー付きバッグであって、
前記スライダーガイド機構は、
篏合することによって前記バッグを密閉状態とするために、前記開口部に沿うように、互いに対向して設けられている一対の密閉レールと、
該密閉レールよりも前記バッグの開口縁側に該密閉レールに沿って設けられている一対の開放レールと、
前記一端部側の前記開放レールの端部に連設し、前記バッグを密閉状態とした際に、前記スライダーに設けられている分離機構が前記開放レールに接しないようにするための切欠き端部と、を有し、
前記バッグが密閉状態であるときに、前記一対の開放レール同士の間には、空隙が設けられており、
前記スライダーが前記他端部へ向かってスライドする際に、前記分離機構が前記一対の開放レールの間の前記空隙に挿入されることで、前記一対の密閉レールの篏合状態を解除することを特徴とするスライダー付きバッグ。
【請求項２】
前記スライダーは、前記スライダーガイド機構を跨ぐ頂面部を有し、
前記スライダーを前記バッグが密閉状態となる位置に配置したとき、前記頂面部の前記他端部側の端は、前記切欠き端部よりも前記他端部側に配置されることを特徴とする請求項１に記載のスライダー付きバッグ。
【請求項３】
前記スライダーは、該スライダーが前記一端部へ向かってスライドする際に、前記一対の密閉レールを外面から押圧することで前記一対の密閉レールを嵌合状態とする絞り機構を有し、
前記スライダーを前記バッグが密閉状態となる位置に配置したとき、前記絞り機構の前記他端部側の端は、前記切欠き端部よりも前記他端部側に配置されることを特徴とする請求項１又は２に記載のスライダー付きバッグ。
【請求項４】
前記開放レール及び／又は前記密閉レールの外側に複数のくぼみが形成されていることを特徴とする請求項１〜３のいずれか一つに記載のスライダー付きバッグ。
【請求項５】
前記くぼみは、前記密閉レールの外側のうち、前記切欠き端部の下方の部分には形成されていないことを特徴とする請求項４に記載のスライダー付きバッグ。
【発明の詳細な説明】
【技術分野】
【０００１】
本発明は、スライダー構造を有するプラスチック製のバッグに関する。
【背景技術】
【０００２】
従来、熱可塑性フィルムを用いた繰り返し開閉可能なバッグの開発がなされている。特に、バッグの開口部にジッパー構造を有し、そのジッパー構造をスライダーにより開放または密閉することにより、バッグを開けたり、閉めたりすることが何度も可能なバッグは、世間一般に広く供給されている。また、スライダーによるジッパー構造の開閉に関する技術開発もこれまでに数多くなされている。例えば、密閉端部において開放レールを除去し、その除去部に分離機構の幅の広い方を収めることで、密閉性を高めることができることが開示されている（例えば、特許文献１を参照。）。また、密閉時に使用者が感触により、ジッパーを密閉していることがわかりやすい構造を有するバッグが開示されている（例えば、特許文献２を参照。）。
【先行技術文献】
【特許文献】
【０００３】
【特許文献１】特開平５−１３７６０７号公報
【特許文献２】米国特許出願公開第２０１２／００２７３２２号明細書
【発明の概要】
【発明が解決しようとする課題】
【０００４】
一般的に、スライダー付きバッグにおけるスライダーはジッパーを開放するための分離機構を有しており、その分離機構は開放レールに作用することで密閉レールを開閉する。特許文献１における分離機構は、バッグを密封状態とした場合に、分離機構の幅の広い方の端部の突出部がノッチ構造の端部に係合していることが記載されている（特許文献１の段落００２６）。さらに、分離用フィンガの幅の狭い方の端部が、密閉レールを開かずに開放レールの間に受容されるようにする横方向の寸法を有することが好ましいことが記載されている（特許文献１の段落０００９）。これらの記載から、特許文献１における分離機構では、図９に示すように、分離機構の幅の狭い方は開放レールに刺さったままになっているものと認められる。そのため、開放レールを開放する幅の広い部分と開放レールとが近接しており、不可抗力によって分離機構の幅の広い部分が開放レールに作用し、使用者が意図しない状況において密閉性が損なわれるケースがあるという問題を有している。
【０００５】
本発明は、上記の課題に鑑みてなされたものであり、本発明の主たる目的は、使用者がスライダー付きバッグを開け易く、かつ使用者の意図しない状況において密閉状態が解除されてしまわないスライダー付きバッグを提供することである。
【課題を解決するための手段】
【０００６】
本発明に係るスライダー付きバッグは、上記課題を解決するために、バッグの開口部に取り付けられているスライダーを、前記開口部に設けられたスライダーガイド機構の一端部から他端部に沿って前記一端部側にスライドさせることによって前記バッグを密閉状態とし、その後、前記他端部側にスライドさせることによって、前記密閉状態を解除することで、前記開口部の開閉が可能なスライダー付きバッグであって、前記スライダーガイド機構は、篏合することによって前記バッグを密閉状態とするために、前記開口部に沿うように、互いに対向して設けられている一対の密閉レールと、該密閉レールよりも前記バッグの開口縁側に該密閉レールに沿って設けられている一対の開放レールと、前記一端部側の前記開放レールの端部に連設し、前記バッグを密閉状態とした際に、前記スライダーに設けられている分離機構が前記開放レールに接しないようにするための切欠き端部と、を有し、前記バッグが密閉状態であるときに、前記一対の開放レール同士の間には、空隙が設けられており、前記スライダーが前記他端部へ向かってスライドする際に、前記分離機構が前記一対の開放レールの間の前記空隙に挿入されることで、前記一対の密閉レールの篏合状態を解除することを特徴とする。すなわち、スライダー付きバッグが密閉状態であるときに、分離機構は開放レールから外れるように配置されるので、使用者が所望しない場合に分離機構が開放レールの間に挿入されて密閉状態が解除されることを避けることができる。また同時に、一対の開放レールの間には空隙があるため、使用者が密閉状態を解除したい場合、すなわちスライダー付きバッグを開けたい場合には、分離機構が開放レールの間に挿入しやすい構成となっている。これにより、本発明に係るスライダー付きバッグでは、使用者がスライダー付きバッグを開け易く、かつ使用者の意図しない状況において密閉状態が解除されてしまわないという効果を奏する。
【０００７】
本発明に係るスライダー付きバッグでは、前記スライダーは、前記スライダーガイド機構を跨ぐ頂面部を有し、前記スライダーを前記バッグが密閉状態となる位置に配置したとき、前記頂面部の前記他端部側の端は、前記切欠き端部よりも前記他端部側に配置されることが好ましい。頂面部の少なくとも一部が常に開放レール上に配置されることとなるため、スライダーが開放レールで支持されて、スライダーガイド機構の長手方向に直交する方向でのスライダーのがたつきを抑制することができる。
【０００８】
本発明に係るスライダー付きバッグでは、前記スライダーは、該スライダーが前記一端部へ向かってスライドする際に、前記一対の密閉レールを外面から押圧することで前記一対の密閉レールを嵌合状態とする絞り機構を有し、前記スライダーを前記バッグが密閉状態となる位置に配置したとき、前記絞り機構の前記他端部側の端は、前記切欠き端部よりも前記他端部側に配置されることが好ましい。絞り機構の少なくとも一部が常に開放レールの外側に配置された状態となるため、開放動作をよりスムーズに行うことができる。
【０００９】
本発明に係るスライダー付きバッグでは、前記開放レール及び／又は前記密閉レールの外側に複数のくぼみが形成されていることが好ましい。上記の構成によれば、本発明に係るスライダー付きバッグは、密閉または開放時にスライダーを開放レール及び／又は密閉レールでスライドすると、くぼみの効果によって使用者の指への感触や耳への擦れ音が得られ、ジッパーの開閉したことを五感で体感することができるという更なる効果を奏する。
【００１０】
本発明に係るスライダー付きバッグでは、前記くぼみは、前記密閉レールの外側のうち、前記切欠き端部の下方の部分には形成されていないことが好ましい。スライダーがバッグを密閉状態となる位置に配置されたとき、くぼみによる感触や擦れ音がなくなる作用があるため、バッグが密閉状態となったことが実感できる効果がある。
【発明の効果】
【００１１】
本発明は、使用者がスライダー付きバッグを開け易く、かつ使用者の意図しない状況において密閉状態が解除されてしまわないスライダー付きバッグを提供することができる。
【図面の簡単な説明】
【００１２】
【図１】本実施形態に係るスライダー付バッグの一例の全体を示す図である。
【図２】図１のＡ−Ａ線破断面図である。
【図３】図１のＢ−Ｂ線破断面図である。
【図４】図１のＣ−Ｃ線破断面図である。
【図５】スライダーの一例を底面から見た図である。
【図６】スライダーの一例を頂面から見た図である。
【図７】スライダーをバッグが密閉状態となる位置に配置したときの、スライダーの頂面部と切欠き端部との位置関係を説明するための図である。
【図８】スライダーをバッグが密閉状態となる位置に配置したときの、スライダーの絞り機構と切欠き端部との位置関係を説明するための図である。
【図９】従来のスライダー付きバッグにおけるスライダーをバッグが密閉状態となる位置に配置したときの、スライダーと切欠き端部の位置関係を示す図である。
【発明を実施するための形態】
【００１３】
［スライダー付バッグ１］
本実施形態に係るスライダー付きバッグ１の構成について、図１および図２を参照して説明すれば以下のとおりである。
【００１４】
図１に示すように、スライダー付きバッグ１は、バッグ１０、スライダーガイド機構（以降、ジッパーということもある。）１１およびスライダー１２を備える。これらの部材について以下に説明する。なお、図１は本実施形態に係るスライダー付バッグの一例の全体を示す図である。
【００１５】
［バッグ１０］
バッグ１０は、スライダー付きバッグ１に収容される内容物を収容する収容部である。バッグ１０は、例えば、ポリエチレン、ポリプロピレンなどの熱可塑性フィルムから形成され、内容物が視認できるよう透明なフィルムであることが好ましい。バッグ１０は、開口部２を除いた底部３および側部４においてフィルムが接合された形状である。ここでは、便宜上、バッグ１０を構成するフィルムを図２に示すようにフィルム１３とフィルム１４との２つのフィルムで表記する。もちろんフィルムは２つを用いる必要はなく、１つのフィルムを折り曲げることでバッグ状としてもよい。
【００１６】
［スライダーガイド機構（ジッパー）１１］
ジッパー１１は、バッグ１０の開口部２を何度も開閉することが可能とする部材である。ジッパー１１は、図１および図２に示すように、バッグ１０の開口部２の内周に沿って取り付けられている。ジッパー１１は、バッグ１０の開口部２の内周縁に設けられることが好ましい。図２は、図１のＡ−Ａ線破断面図である。ジッパー１１の詳細な構成については下記に詳述する。
【００１７】
［スライダー１２］
スライダー１２は、図３〜図６に示すように、ジッパー１１を跨ぐような中央部に空間を有する、いわゆる跨座式状であり、中央部の空間にジッパー１１を収容してジッパー１１に沿ってスライドする部材である。スライダー１２の形状は特に限定されるものではないが、側面部１２１と頂面部１２２とを有することが好ましい。側面部１２１は、ジッパー１１の側面に配置される壁である。図１に示すように、スライダー１２の側面部１２１の外表面には、作業時の指の引っかかりをよくするために鋸状のグリップ２２が形成されていることが好ましい。スライダー１２の側面部１２１の内表面には、図３に示すように、絞り機構２７が形成されていることが好ましい。また、スライダーの頂面部１２２は、図６に示すように、対向する側面部１２１同士の間を連結し、ジッパー１１の上方に配置される壁である。図６では、頂面部１２２のスライド方向（図６では左右方向）の長さが、側面部１２１のスライド方向の長さよりも短い形態を示したが、本発明はこれに限定されず、頂面部１２２のスライド方向の長さが、側面部１２１のスライド方向の長さと同じであってもよい。スライダー１２の頂面部１２２の内表面には、図４及び図５に示すように、バッグ１０の開口部に向かって凸形状の分離機構２５が形成されている。また、スライダー１２は、図５に示すように、底面に爪部１２３，１２４を有することが好ましい。
【００１８】
スライダー１２は、バッグ１０およびジッパー１１と異なる配色である方がスライダー１２見つけやすく作業上好ましい。もちろん同一色としてもよい。スライダー１２は、単一のプラスチック片であることが好ましい。スライダー１２の材質としては、ナイロン、ポリプロピレン、ポリスチレン、デルリン（Ｄｅｌｒｉｎ）（登録商標）あるいはＡＢＳ等を挙げることができる。また、図３は、図１のＢ−Ｂ線破断面図であり、図４は、図１のＣ−Ｃ線破断面図である。
【００１９】
［ジッパー１１の構成］
次に、ジッパー１１の詳細な構成について、図１〜図３を参照しつつ以下に説明する。ジッパー１１は、図２及び図３に示すように、一対の開放レール２１Ａおよび２１Ｂ、ならびに、一対の密閉レール２０Ａおよび２０Ｂを備えている。ジッパー１１の両端部には、図１に示すように、スライダー１２をスライドさせた際、スライダー１２がバッグ１０から分離しないよう密閉端部２３Ａ，２３Ｂを有することが好ましい。密閉端部２３Ａ，２３Ｂは、密閉レール２０Ａ、密閉レール２０Ｂ、開放レール２１Ａおよび開放レール２１Ｂを潰して相互に融着させて形成してもよい。また、ジッパー１１は、切り欠き端部２４を有している。図１のように、スライダー付きバッグ１が開放状態にあるときにスライダー１２は切り欠き端部２４以外に配置される。また、スライダー付きバッグ１が密閉状態の時は、図１の二点鎖線で示すように、切り欠き端部２４にスライダー１２が配置されている。
【００２０】
本実施形態に係るスライダー付きバッグ１では、開放レール２１（２１Ａ，２１Ｂ）及び／又は密閉レール２０（２０Ａ，２０Ｂ）の外側に複数のくぼみ２６が形成されていることが好ましい。くぼみ２６は、例えば、図１に示すように、密閉レール２０Ａと開放レール２１Ａとにわたって形成されていることが好ましい。同様に、くぼみ２６は、密閉レール２０Ｂと開放レール２１Ｂとにわたって形成されていることが好ましい。くぼみ２６は複数設けられていることが好ましい。くぼみ２６が複数設けられているとき、くぼみ２６のそれぞれは等間隔で形成されていることが好ましい。図１では、くぼみ２６が、開放レール２１（２１Ａ，２１Ｂ）及び密閉レール２０（２０Ａ，２０Ｂ）の両方の外側に設けられている形態を示したが、本発明はこれに限定されず、くぼみ２６が、開放レール２１（２１Ａ，２１Ｂ）のの外側だけに設けられている形態（不図示）、または密閉レール２０（２０Ａ，２０Ｂ）の外側だけに設けられている形態（不図示）であってもよい。
【００２１】
（密閉レール２０Ａ、２０Ｂ）
まず、密閉レール２０Ａ、２０Ｂについて図２を参照しつつ以下に説明する。密閉レール２０Ａは、フィルム１３の開口部２に設けられている帯状基部１５と、帯状基部１５の内側に突出形成された鉤状部１７とを有する。密閉レール２０Ｂは、フィルム１４の開口部に設けられている帯状基部１６と、帯状基部１６の内側に突出形成され、鉤状部１７と相互に咬み合い可能な鉤状部１８とを有する。鉤状部１７、１８は一組以上設けられていてもよい。鉤状部１７、１８が二組以上設けられている場合には、スライダー付きバッグ１の密閉性がさらに密閉性が高くなり、内容物が漏れる確率が小さくなる。なお、図２では、便宜上、帯状基部１５、１６と鉤状部１７，１８とを一体の部材として示しているが、これらは別体の部材であってもよい。
【００２２】
（開放レール２１Ａ、２１Ｂ）
続いて、開放レール２１Ａ、２１Ｂについて図２を参照しつつ以下に説明する。開放レール２１Ａは、帯状基部１５におけるフィルム１３側と逆側に設けられている帯状基部２１１Ａと、帯状基部２１１Ａの内側に突出形成された突条部２１２Ａとを有する。開放レール２１Ｂは、帯状基部１６におけるフィルム１４側と逆側に設けられている帯状基部２１１Ｂと、帯状基部２１１Ｂの内側に突出形成された突条部２１２Ｂとを有する。なお、図２では、便宜上、帯状基部２１１Ａ，２１１Ｂと突条部２１２Ａ，２１２Ｂとを一体の部材として示しているが、これらは別体の部材であってもよい。また、図２では、密閉レール２０（２０Ａ，２０Ｂ）の帯状部１５，１６と開放レール２１（２１Ａ，２１Ｂ）の帯状部２１１Ａ，２１１Ｂとを一体の部材として示しているが、これらは別体の部材であってもよい。
【００２３】
［開放レール２１Ａ、２１Ｂおよび密閉レール１９、２０の構成］
ここで、開放レール２１（２１Ａ、２１Ｂ）は、スライダー付バッグ１が密閉状態であるとき、分離機構２５において密閉レール２０（２０Ａ，２０Ｂ）の篏合状態の解除を生じさせる幅よりも小さい距離の空隙３０を有するよう開口部２に設けられていることが好ましい。使用者が密閉状態を解除したい場合、分離機構２５が開放レール２１（２１Ａ，２１Ｂ）の間に挿入しやすい構成となっている。開放レール２１Ａ、２１Ｂ及び／又は密閉レール１９、２０外側には複数のくぼみ２６が形成されている。スライダー１２をスライドしジッパー１１を開けたり、閉めたりしたときに、くぼみ２６の効果によって指への感触や耳への擦れ音が得られ、ジッパーの開閉したことを五感で体感することができる。一方、密閉レール２０（２０Ａ，２０Ｂ）の外側のうち、切欠き端部２４の下方の部分にはくぼみ２６が形成されていないことが好ましい。スライダー付きバッグ１が密閉状態となった時、すなわち分離機構２５が開放レール２１（２１Ａ，２１Ｂ）に接触しなくなった時、くぼみ２６からの感触がなくなる作用があり、それにより密閉状態となったことが実感できる効果がある。
【００２４】
（切欠き端部２４）
切欠き端部２４について図１を参照しつつ以下に説明する。切欠き端部２４は、開放レール２１（２１Ａ，２１Ｂ）の一方の端部２ａ側を切り欠いた部分である。スライダー付きバッグ１を密閉状態とした際に、スライダー１１に設けられている分離機構２５（図５に図示）の全体が切欠き端部２４内に収容される。切欠き端部２４は、開放レール２１（２１Ａ，２１Ｂ）だけを切り欠いた部分であり、切欠き端部２４の下方には、密閉レール２０（２０Ａ，２０Ｂ）が延在することが好ましい。
【００２５】
また、ジッパー１１は、図２に示すように、密閉レール２０（２０Ａ，２０Ｂ）よりもフィルム１３，１４側に密閉レール２０（２０Ａ，２０Ｂ）に沿って設けられているガイドレール４０（４０Ａ，４０Ｂ）を有することが好ましい。ガイドレール４０Ａは、帯状基部１５におけるフィルム１３側に設けられている帯状基部４１Ａと、帯状基部４１Ａの外側に突出形成された突条部４２Ａとを有する。ガイドレール４０Ｂは、帯状基部１６におけるフィルム１４側に設けられている帯状基部４１Ｂと、帯状基部４１Ｂの外側に突出形成された突条部４２Ｂとを有する。スライダー１２の爪部１２３，１２４（図５および図６に図示）が、ガイドレールの突状部４２Ａ，４２Ｂに係合することで、スライダー１２がジッパー１１に沿って移動可能となる。また、スライダー１２の爪部１２３，１２４は、ガイドレールの突状部４２Ａ，４２Ｂの直下に配置されることが好ましい。ジッパー１１の長手方向に直交する方向でのスライダー１２のがたつきを抑制することができる。帯状基部４１Ａ，４１Ｂは、密閉レールの帯状基部１５，１６と一体であるか又は別体であってもよい。
【００２６】
［分離機構２５］
スライダー１２に設けられている分離機構２５の構成について図５を参照しつつ、以下に説明する。図５は、スライダーの一例を底面から見た図である。図５に示すように、分離機構２５の形状は、例えば、幅広部２５１と、幅広部２５１よりも幅が狭い幅狭部２５２とを有し、図１に示す切り欠き端部２４側（一方の端部２ａ側）に幅広部２５１、その逆側（他方の端部２ｂ側）が幅挟部２５２が来るようにスライダー１２がジッパー１１に取り付けられている。もちろん、図５に図示した形状は一例であり、分離機構２５における切り欠き端部２４側の幅が、その逆側の幅よりも大きい構成であればよく、例えば二等辺三角形柱であってもよい。分離機構２５の形状が二等辺三角柱であるとき、一方の端部２ａ（図１に図示）側に二等辺三角形の底辺、他方の端部２ｂ（図１に図示）側に二等辺三角形の最も角度の小さい頂角がくるように、スライダー１２がジッパー１１に取り付けられる。
【００２７】
分離機構２５は開放レール２１Ａと開放レール２１Ｂとの間に侵入するように配置されている。使用者がスライダー付きバッグ１を開けるときには、スライダー１２をジッパー１１に沿って他方の端部２ｂ側（図１では右側）へスライドさせることによって、分離機構２５が開放レール２１Ａと開放レール２１Ｂとの間に挿入される。これにより、分離機構２５により密閉レール２０Ａと密閉レール２０Ｂとが押し広げられることによって、鉤状部１７、１８の咬み合いが解かれ、密閉レール２０（２０Ａ，２０Ｂ）の嵌合状態が解除される。
【００２８】
［絞り機構２７］
スライダー１２に設けられている絞り機構２７の構成について図３及び図５を参照しつつ、以下に説明する。絞り機構２７は、図５に示すように、スライダー１２の側面部１２１の内表面のうち、分離機構２５の幅狭部２５２よりも他方の端部２ｂ側（図５では右側）となる位置に設けられる突起である。絞り機構２７の突出量は、スライダー１２をジッパー１１に取り付けたときに、一対の密閉レール２０（２０Ａ，２０Ｂ）を外面から押圧することができる量である。使用者がスライダー付きバッグ１を閉めるときは、スライダー１２をジッパー１１に沿って一方の端部２ａ側（図１では左側）へスライドさせることによって、絞り機構２７が密閉レール２０Ａと密閉レール２０Ｂとを外側から押圧する。これによって、鉤状部１７，１８が相互に咬み合い、密閉レール２０（２０Ａ，２０Ｂ）が嵌合状態となる。
【００２９】
図７は、スライダーをバッグが密閉状態となる位置に配置したときの、スライダーの頂面部と切欠き端部との位置関係を説明するための図である。本実施形態に係るスライダー付きバッグ１では、スライダー１２は、スライダーガイド機構１１を跨ぐ頂面部１２２を有し、頂面部１２２の他端部側（図７では右側）の端１２２ｂは、切欠き端部２４よりも他端部２ｂ側に配置されることが好ましい。頂面部１２２の少なくとも一部が常に開放レール２１（２１Ａ，２１Ｂ）上に配置されることとなるため、スライダー１２が開放レール２１（２１Ａ，２１Ｂ）で支持されて、ジッパー１１の長手方向に直交する方向でのスライダー１２のがたつきを抑制することができる。
【００３０】
図８は、スライダーをバッグが密閉状態となる位置に配置したときの、スライダーの絞り機構と切欠き端部との位置関係を説明するための図である。本実施形態に係るスライダー付きバッグ１では、スライダー１２は、スライダー１２が一端部２ａへ向かってスライドする際に、一対の密閉レール２０（２０Ａ，２０Ｂ）を外面から押圧することで一対の密閉レール２０（２０Ａ，２０Ｂ）を嵌合状態とする絞り機構２７を有し、スライダー１２をバッグ１が密閉状態となる位置に配置したとき、絞り機構２７の他端部側（図８では右側）の端２７ｂは、切欠き端部２４よりも他端部２ｂ側に配置されることが好ましい。絞り機構２７の全体が切欠き端部２４内に配置されると、開放動作時に絞り機構２７が開放レール２１（２１Ａ，２１Ｂ）の段差を乗り越えるとき、使用者が引っかかりを感じるおそれがあるところ、絞り機構２７の少なくとも一部が常に開放レール２１（２１Ａ，２１Ｂ）の外側に配置された状態とすることで、使用者が引っかかりを感じることなく、開放動作をよりスムーズに行うことができる。
【００３１】
［スライダー付きバッグ１の利点］
以上説明したように、スライダー付きバッグ１は、密閉状態であるときにスライダー１２が配置される側の開放レール２１（２１Ａ、２１Ｂ）の端部が、分離機構２５に接しないように切り欠かれて切欠き端部２４が設けられていると同時に、開放レール２１Ａと開放レール２１Ｂとは、その間に空隙３０が生じるように設けられている。すなわち、スライダー付きバッグ１が密閉状態であるときに、分離機構２５は開放レール２１（２１Ａ、２１Ｂ）から外れるように配置されるので、使用者が所望しない場合に分離機構２５が開放レール２１Ａと開放レール２１Ｂとの間に挿入されて密閉状態が解除されることを避けることができる。また同時に、開放レール２１Ａと開放レール２１Ｂとの間には空隙３０があるため、使用者が密閉状態を解除したい場合、すなわちスライダー付きバッグ１を開けたい場合には、分離機構２５が開放レール２１Ａと開放レール２１Ｂとの間に挿入しやすい構成となっている。これにより、スライダー付きバッグ１では、使用者がスライダー付きバッグ１を開け易いと同時に、使用者の意図しない状況において密閉状態が解除されてしまうことを避けることができる。
【００３２】
開放レール２１（２１Ａ、２１Ｂ）および密閉レール２０（２０Ａ，２０Ｂ）の外側には複数のくぼみ２６が形成されている。スライダー１２をスライドしジッパー１１を開けたり、閉めたりしたときに、くぼみ２６の効果によって指への感触や耳への擦れ音が得られ、ジッパー１１の開閉の確認を体感することができる。
【００３３】
本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００３４】
本発明に係るスライダー付きバッグは密閉性が高く、食品等を収容するのに好適に利用することができる。
【符号の説明】
【００３５】
１  スライダー付バッグ
２  開口部
２ａ  一端部
２ｂ  他端部
３  底部
４  側部
１０  バッグ
１１  ジッパー（スライダーガイド機構）
１２  スライダー
１３  フィルム（バッグ１０の片側）
１４  フィルム（バッグ１０の片側）
１５  帯状基部
１６  帯状基部
１７  鉤状部
１８  鉤状部
２０（２０Ａ，２０Ｂ）  密閉レール
２１（２１Ａ，２１Ｂ）  開放レール
２２  グリップ
２３Ａ，２３Ｂ  密閉端部
２４  切り欠き端部（端部）
２４ｂ  切欠き端部の他端部側の端
２５  分離機構
２６  くぼみ
２７  絞り機構
２７ｂ  絞り機構の他端部側の端
３０  空隙
４０（４０Ａ，４０Ｂ）  ガイドレール
４１Ａ，２１Ｂ  帯状基部
４２Ａ，４２Ｂ  突条部
１２１  側面部
１２２  頂面部
１２２ｂ  頂面部の他端部側の端
１２３，１２４  爪部
２１１Ａ，２１１Ｂ  帯状基部
２１２Ａ，２１２Ｂ  突条部
２５１  幅広部
２５２  幅挟部
【図１】
2017144113.tif 000003
【図２】
2017144113.tif 000004
【図３】
2017144113.tif 000005
【図４】
2017144113.tif 000006
【図５】
2017144113.tif 000007
【図６】
2017144113.tif 000008
【図７】
2017144113.tif 000009
【図８】
2017144113.tif 000010
【図９】
2017144113.tif 000011